(57)【要約】【課題】カム機構のカム溝内にボールを組み込む作業後に、ボールが適正に組み込まれていることを確認してから、次の組み立て作業に移れるようにすることにより、レンズ鏡筒の製造作業を容易かつ適正に行なえるようにしたレンズ鏡筒を提供する。【解決手段】内側の筒体９の外側に外側の筒体８を移動可能に組み付け、内側の筒体９と外側の筒体８との間に駆動カム溝８ｇとボールフォロア９ｂとによるカム機構を配置することにより、相対的な動作をガイドするように構成したレンズ鏡筒において、内側の筒体９と外側の筒体８との間に配置されたボールフォロア９ｂを、外部から覗くための貫通孔であるボールフォロア窓８ｋを穿設して構成する。【選択図】図１
2010066685.tif 000002
【特許請求の範囲】
【請求項１】
内側の筒体の外側に外側の筒体を移動可能に組み付け、前記内側の筒体と前記外側の筒体との間に駆動カム溝とボールフォロアとによるカム機構を配置することにより、相対的な動作をガイドするように構成したレンズ鏡筒において、
前記内側の筒体と前記外側の筒体との間に配置された前記ボールフォロアを、外部から覗くための貫通孔であるボールフォロア窓を穿設して構成したことを特徴とするレンズ鏡筒。
【請求項２】
前記外側の筒体における外周部から、内周部に形成された駆動カム溝における、前記ボールフォロアに転接しない位置に開口するように貫通するボールフォロア窓を穿設して構成したことを特徴とする請求項１記載のレンズ鏡筒。
【請求項３】
前記外側の筒体の内周部に形成する前記駆動カム溝を断面Ｖ字状の溝に形成し、前記外側の筒体における外周部から前記断面Ｖ字状の駆動カム溝における、前記ボールフォロアに転接しない底部に開口するように貫通するボールフォロア窓を穿設して構成したことを特徴とする請求項２記載のレンズ鏡筒。
【請求項４】
前記ボールフォロア窓を穿孔する位置を、撮影状態にあるときに前記駆動カム溝上で前記ボールフォロアが位置する撮影領域の範囲以外の位置に設定して構成したことを特徴とする請求項２又は請求項３記載のレンズ鏡筒。
【発明の詳細な説明】
【技術分野】
【０００１】
本発明は、カメラ等の光学機器に搭載されるレンズ鏡筒に関する。
【背景技術】
【０００２】
従来、デジタルカメラ等に用いられるレンズ鏡筒には、カム溝を設けたカム筒と、レンズとカムピンを備えたレンズホルダによって、レンズを光軸方向に移動させる機構を有するものが提案されている（例えば、特許文献１参照）。
【０００３】
この従来の鏡筒では、カム筒が回転されてカム筒の内周側のカム溝に係合するカムピンがカム溝に沿って移動すると、これに連動して直進キーにガイドされたレンズホルダが光軸方向に移動する。
【０００４】
また、従来のレンズ鏡筒には、ボールねじ機構を利用してズーミングの動作を行うように構成したものが提案されている（例えば、特許文献２参照）。
【０００５】
このボールねじ機構を用いたレンズ鏡筒では、鏡筒の周囲にｎ相の電機子コイルを配置して固定子を構成する。この固定子としての鏡筒の内部には、外周面に複数対の永久磁石を配置すると共に、バリエータレンズを保持した回転子を配置する。この固定子としての鏡筒の内周部に設けたねじ溝と、回転子の外周部に設けたねじ溝との間には、ボールを挿入して循環させるボールねじ機構を設ける。このように構成したレンズ鏡筒では、回転子の回転運動をボールねじ機構により摩擦損失を少なくし効率良く光軸方向の運動に変換して、ズーミングの動作を行う。
【特許文献１】特開２００８−５８５８１号公報
【特許文献２】特開平０５−３３３２５５号公報
【発明の開示】
【発明が解決しようとする課題】
【０００６】
しかしながら、カム筒と、レンズを備えたレンズホルダとの間に回転動作を直進動作に変換するためのカム機構を配置し、そのカム機構をカム溝にボールを係合させて構成するレンズ鏡筒では、その製造作業が難しい。
【０００７】
これは、カム機構のカム溝にボールを組み込む作業工程で、ボールがカム溝から簡単に外れ落ち易いためである。
【０００８】
また、カム溝にボールを係合させる構造のカム機構では、カム溝内にボールを組み込む作業工程の後で、他の鏡筒を組み付けると、カム溝内のボールが見えなくなる。
【０００９】
このため、ボールがカム溝内から外れ落ちた状態で、他の鏡筒を組み付けてしまうと、不良品を製造してしまうこととなるので、製造作業に注意が必要で作業が困難なものとなっている。
【００１０】
本発明の目的は、カム機構のカム溝内にボールを組み込む作業後に、ボールが適正に組み込まれていることを確認できるようにして、レンズ鏡筒の製造作業を容易かつ適正に行なえるようにすることを目的とする。
【課題を解決するための手段】
【００１１】
上記目的を達成するために、請求項１記載のレンズ鏡筒は、内側の筒体の外側に外側の筒体を移動可能に組み付け、前記内側の筒体と前記外側の筒体との間に駆動カム溝とボールフォロアとによるカム機構を配置することにより、相対的な動作をガイドするように構成したレンズ鏡筒において、前記内側の筒体と前記外側の筒体との間に配置された前記ボールフォロアを、外部から覗くための貫通孔であるボールフォロア窓を穿設して構成したことを特徴とする。
【発明の効果】
【００１２】
本発明によれば、カム機構のカム溝内にボールを組み込む作業後に、ボールが適正に組み込まれていることを確認できるので、レンズ鏡筒の製造作業を容易かつ適正に行なえる。
【発明を実施するための最良の形態】
【００１３】
以下、本発明の実施の形態に係わるレンズ鏡筒について、図１乃至図１８を参照して説明する。
【００１４】
図１は、本発明の実施の形態に係わるレンズ鏡筒におけるカム筒駆動カム溝８ｇ、固定筒ボールフォロア９ｂ及び固定筒ボールフォロア窓８ｋの構成を取り出し拡大して示す要部の断面斜視図である。
【００１５】
図２は、本発明の実施の形態に係わるレンズ鏡筒を搭載したカメラの外観斜視図である。
【００１６】
図３は、本発明の実施の形態に係わるレンズ鏡筒を搭載したカメラの正面図である。
【００１７】
図４は、本発明の実施の形態に係わるレンズ鏡筒部分を取り出して示すレンズ鏡筒の斜視図である。
【００１８】
図５は、沈胴状態のレンズ鏡筒の内部構造を示す図３のＡ−Ａ線による縦断面図である。
【００１９】
図６は、沈胴状態のレンズ鏡筒の内部構造を示す図３のＢ−Ｂ線による横断面図である。
【００２０】
図７は、沈胴状態のレンズ鏡筒の内部構造を示す図３のＣ−Ｃ線による断面図である。
【００２１】
図８は、ワイド撮影状態のレンズ鏡筒の内部構造を示す図３のＡ−Ａ線による縦断面図である。
【００２２】
図９は、ワイド撮影状態のレンズ鏡筒の内部構造を示す図３のＢ−Ｂ線による縦断面図である。
【００２３】
図１０は、ワイド撮影状態のレンズ鏡筒の内部構造を示す図３のＣ−Ｃ線による縦断面図である。
【００２４】
図１１は、テレ撮影状態のレンズ鏡筒の内部構造を示す図３のＡ−Ａ線による縦断面図である。
【００２５】
図１２は、テレ撮影状態のレンズ鏡筒の内部構造を示す図３のＢ−Ｂ線による縦断面図である。
【００２６】
図１３は、テレ撮影状態のレンズ鏡筒の内部構造を示す図３のＣ−Ｃ線による縦断面図である。
【００２７】
図１４は、沈胴状態のレンズ鏡筒の内部構造を示す図３のＤ−Ｄ線による縦断面図である。
【００２８】
図１５は、ワイド撮影状態のレンズ鏡筒の内部構造を示す図３のＤ−Ｄ線による縦断面図である。
【００２９】
図１６は、本発明の実施の形態に係わるレンズ鏡筒におけるＣＣＤホルダ１４に設けられたＣＣＤホルダ衝撃受け部１４ａを取り出して示す斜視図である。
【００３０】
図１７は、本発明の実施の形態に係わるレンズ鏡筒におけるカム筒８に設けられたボール確認窓８ｋを取り出して示す斜視図である。
【００３１】
図１８は、本発明の実施の形態に係わるレンズ鏡筒における固定筒９に設けられた固定筒ボールフォロア９ｂと固定筒ボールバネ９ｄ部分を取り出して示す斜視図である。
【００３２】
図２、図３に示すように、光学機器としてのデジタルカメラ１の前方には、沈胴式の鏡筒２が設けられている。
【００３３】
鏡筒２は、図５に示すように、１群レンズＬ１、２群レンズＬ２、３群レンズＬ３及び４群レンズＬ４を備えており、４群レンズＬ４を光軸方向に移動させて焦点調節を行うよう構成されている。
【００３４】
図５、図８、図１１、図１７に示すところから理解されるように、１群レンズＬ１は、１群レンズホルダ３に保持される。この１群レンズホルダ３には、周方向に互いに離間した３箇所に、それぞれ回転動作を直進動作に変換するためのカム溝にボールを係合させて構成するカム機構を配置する。
【００３５】
このカム機構を構成するため、１群レンズホルダ３には、１群ボールフォロア３ａ、１群ボールバネ３ｂ、１群衝撃ピン３ｃ、１群直進溝３ｄを配置する。この１群ボールバネ３ｂは、１群ボールフォロア３ａを１群カム溝８ｂに当接させるように付勢する。
【００３６】
２群レンズＬ２は、２群カムピン４ａと光軸方向に伸びる１対の２群バー４ｂを有する２群レンズホルダ４により保持される。３群レンズＬ３は、３群カムピン５ａと３群スリーブ５ｂ、３群振れ止め５ｃを有する３群レンズホルダ５により保持される。４群レンズＬ４は、４群レンズホルダ６により保持される。
【００３７】
図７に示すように、鏡筒２は、シャッターユニット７を備える。シャッターユニット７は、ＳＨカムピン７ａとＳＨスリーブ７ｂ、ＳＨ振れ止め７ｃを有する。また、この鏡筒２では、その内部に配置した一方の２群バー４ｂに、３群スリーブ５ｂとＳＨスリーブ７ｂとが光軸方向に移動可能に嵌合されている。さらに、この鏡筒２では、その内部に配置した他方の２群バー４ｂに、３群振れ止め５ｃとＳＨ振れ止め７ｃとが光軸方向に移動可能に嵌合されている。
【００３８】
図５及び図７に示すように、この鏡筒２は、１群レンズホルダ３の内周と、２群レンズホルダ４の外周側との間に、カム筒８と直進案内筒として機能する固定筒９とを配置して構成する。
【００３９】
このカム筒８は、鏡筒２内部で光軸中心に対して回転可能に装着されている。このカム筒８は、外周部にギア部８ａと１群カム溝８ｂ、１群衝撃受け溝８ｈ、が設けられている。また、カム筒８の内周部には、２群カム溝８ｃ、３群カム溝８ｄ、ＳＨカム溝８ｅ、カム筒駆動カム溝８ｇ（図１４に図示）、ローラーガイド８ｉ、が設けられている。
【００４０】
図１２に示すように、カム筒８のＣＣＤホルダ１４側端面には、カム筒衝撃受け部８ｊを設ける。
【００４１】
図１、図１７に示すようにカム筒駆動カム溝８ｇの溝部底面の所定位置には、固定筒ボールフォロア窓８ｋが形成される。
【００４２】
図６に示すように、カム筒８の外周には、カム筒脱臼防止ストッパ８Ｌを形成する。
【００４３】
図５に示すように、１群カム溝８ｂには、１群ボールバネ３ｂの付勢力によって１群ボールフォロア３ａが当接している。
【００４４】
１群衝撃受け溝８ｈには、通常の駆動状態では１群衝撃ピン３ｃが適切な隙間を保ちながら配置されている。
【００４５】
固定筒９の外周壁には、光軸方向に延びる貫通長穴状の２群直進溝９ａ（図７に図示）が、周方向に互いに離間した３箇所に配置されている。また図７に示すように、２群直進溝９ａと同位相の固定筒９上端面には、１群直進キー９ｃが形成されている。２群直進溝９ａには、２群カムピン４ａが光軸方向に移動可能に嵌合している。１群直進キー９ｃには、１群直進溝３ｄが光軸方向に移動可能に勘合している。
【００４６】
また図１４乃至図１８から理解されるように、固定筒９の外周部には、固定筒ボールフォロア９ｂが、周方向に互いに離間した３箇所に、それぞれ自転可能に取り付けられている。固定筒ボールフォロア９ｂの内の少なくとも一つは、固定筒ボールバネ部９ｄによってカム筒８のカム筒駆動カム溝８ｇに押し付けられるように付勢されている。また、残る２つの固定筒ボールフォロア９ｂは、一つの固定筒ボールフォロア９ｂを付勢する固定筒ボールバネ部９ｄの反力により、カム筒駆動カム溝８ｇに弾性的に押し付けられる。
【００４７】
図７に示すように、固定筒９の外周上には、ローラー９ｉを介して、カム筒８が回転可能に支受されている。このローラー９ｉは、ポリアセタール等の弾性材料で作られたローラーである。ローラー９ｉは、軸太のドラム部９ｉｂ両端部に一対の軸部９ｉａを配置して構成する。このローラー９ｉは、両端の軸部９ｉａを、固定筒９の軸受に回転自由に軸支され、ドラム部９ｉｂがローラカム筒８のローラーガイド８ｉに転接してカム筒８が固定筒９の外周上を回転可能となるように支受する。
【００４８】
また図４、図５に示すように、この鏡筒２は、駆動ギア１０、ズーム駆動装置１１、メイン基板１２、鏡筒フレキ１３、ＣＣＤホルダ１４、ボイスコイル１５を用いた４群駆動装置を備える。
【００４９】
このＣＣＤホルダ１４には、ＣＣＤホルダ衝撃受け部１４ａ（図１２、図１６に図示）が設けられている。このＣＣＤホルダ１４には、ＣＣＤホルダストッパ１４ｂ（６に図示）が設けられている。また、このＣＣＤホルダ１４は、デジタルカメラ１の本体側に固定されて、固定筒９、駆動ギア１０、ズーム駆動装置１１、４群駆動装置１５を保持するよう構成されている。
【００５０】
また、このデジタルカメラ（電子カメラ）であるカメラ１では、カメラ本体にメイン基板１２を内蔵する。このメイン基板１２は、不図示の配線を介してＣＣＤプレート２５上のＣＣＤ２６に接続されている。このデジタルカメラ１では、鏡筒２によってＣＣＤ２６上に結像される被写体像を撮影するように構成されている。
【００５１】
次に、上述のように構成した沈胴式鏡筒２の動作について説明する。
【００５２】
このカメラ１では、鏡筒２を光軸方向に移動動作させる場合には、図示しない制御部によって、メイン基板１２から鏡筒フレキ１３を介してズーム駆動装置１１に通電して駆動制御する。すると、ズーム駆動装置１１の回転駆動力は、ギア部８ａに噛合する駆動ギア１０を介してカム筒８に伝達され、カム筒８が固定筒９周りに回転する。
【００５３】
すると、この鏡筒２では、カム筒８の回転に伴い、カム筒８の内周側の１群カム溝８ｂに係合する１群ボールフォロア３ａが、１群カム溝８ｂ（螺旋状のカム溝）に沿って移動する。このとき、１群ボールフォロア３ａが設けられた１群レンズホルダ３は、１群直進溝３ｄに嵌合する１群直進キー９ｃにガイドされるので、１群レンズホルダ３とこれに付随するものが光軸方向に移動する。
【００５４】
同様に、この鏡筒２では、カム筒８が回転すると、カム筒８の内周側の２群カム溝８ｃに係合する２群カムピン４ａが、２群カム溝８ｃのカム溝に沿って移動する。すると、これに連動して２群レンズホルダ４とこれに付随するものが、２群直進溝９ａにガイドされて光軸方向に移動する。
【００５５】
同じく、カム筒８が回転すると、カム筒８の内周側の３群カム溝８ｄに係合する３群カムピン５ａは、３群カム溝８ｄのカム溝に沿って移動する。すると、これに連動して３群レンズホルダ５とこれに付随するものが、２群バー４ｂにガイドされて光軸方向に移動する。
【００５６】
また、カム筒８が回転すると、カム筒８の内周側のＳＨカム溝８ｅに係合するＳＨカムピン７ａは、ＳＨカム溝８ｅのカム溝に沿って移動する。すると、これに連動してシャッターユニット７が、２群バー４ｂにガイドされて光軸方向に移動する。
【００５７】
さらに、固定筒９の外周の固定筒ボールフォロア９ｂにカム筒駆動カム溝８ｇが係合するカム筒８は、ローラーガイド８ｉをドラム部９ｉｂにガイドされながら回転する。すると、カム筒８、１群レンズホルダ３、２群レンズホルダ４、３群レンズホルダ５、４群レンズホルダ６及びシャッターユニット７は、カム筒駆動カム溝８ｇのカム溝に沿って図１４、図１５に示すように光軸方向に移動する。
【００５８】
また、この鏡筒２では、４群駆動装置１５によって４群レンズＬ４を光軸方向に進退移動することにより合焦動作を行う。
【００５９】
この鏡筒２は、図５乃至図７、図１４に示す沈胴状態から、図８乃至図１０、図１５に示すワイド撮影状態に移動する。このときこの鏡筒２では、１群レンズホルダ３と２群レンズホルダ４、３群レンズホルダ５、４群レンズホルダ６、シャッターユニット７、カム筒８が、それぞれ光軸方向に移動する。
【００６０】
さらにこの鏡筒２では、カム筒８が回転することで、図１１から図１３に示すテレ撮影状態に移動する。
【００６１】
次に、上述のように構成した鏡筒２において、図１、図１７に示す固定筒ボールフォロア窓８ｋについて説明する。
【００６２】
この鏡筒２では、カム筒駆動カム溝８ｇの溝部底面が固定筒ボールフォロア９ｂと接しないように構成されている。よって、このカム筒駆動カム溝８ｇでは、溝部底面にカム筒８を貫通する穴を設けても固定筒ボールフォロア９ｂの動作の支障にならない。そこで図１に示すようにカム筒駆動カム溝８ｇの溝部底面に固定筒ボールフォロア窓８ｋを形成している。
【００６３】
また固定筒ボールフォロア窓８ｋから固定筒ボールフォロア９ｂが見える状態は、図１７に示すように１群レンズホルダ３の１群直進溝３ｄが１群直進キー９ｃに嵌合する位相である。
【００６４】
このため１群レンズホルダ３で固定筒ボールフォロア窓８ｋを覆う直前に固定筒ボールフォロア９ｂの組み込みを確認することが可能となり組み立て性が向上する。
【００６５】
さらに固定筒ボールフォロア窓８ｋはカム筒駆動カム溝８ｇのワイド撮影位置からテレ撮影位置の使用範囲以外の位相に設けられており、カム筒駆動カム溝８ｇの精度を悪化させることなく固定筒ボールフォロア９ｂの組み込みを確認することが可能となる。
【００６６】
すなわち、本実施の形態に係わるレンズ鏡筒では、図１、図１７及び図１８に示すように、固定筒９の外周上にカム筒８の筒穴を挿通して光軸の周りに回転可能でかつ光軸方向に移動可能に装着する。これと共に、この鏡筒２では、カム筒８の回転動作に連動してカム筒８を光軸方向に移動させるため、カム筒８の内周部と、固定筒９の外周部との間にカム溝にボールを係合させた構造のカム機構を構成する。
【００６７】
このカム溝にボールを係合させる構造のカム機構を構成するため、カム筒８の内周部には、カム筒８を光軸方向に所定距離移動させるためのリフト（揚程）があるカム曲線に形成したカム筒駆動カム溝８ｇを形成する。このカム筒駆動カム溝８ｇは、断面略Ｖ字状の溝として形成する。このカム筒駆動カム溝８ｇは、Ｖ字の両側面の間に、従動子となる固定筒ボールフォロア９ｂを挟み付けるようにして転動させるように構成する。
【００６８】
なお、このカム筒駆動カム溝８ｇは、断面Ｖ字状の底部となる角をとって、断面逆等脚台形に形成しても良い。さらに、このカム筒駆動カム溝８ｇは、断面Ｖ字状の底部分に矩形細溝が連続するような断面形状に形成しても良い。
【００６９】
また、このカム溝にボールを係合させた構造のカム機構を構成するため、固定筒９の外周部には、カム筒駆動カム溝８ｇに対応する所定位置に設けた支受凹部内に、球形の固定筒ボールフォロア９ｂを自転自由に装着する。
【００７０】
そして図１に示すように、固定筒９に装着された固定筒ボールフォロア９ｂは、固定筒９の外周部にカム筒８が嵌め付けられたときに、固定筒ボールフォロア９ｂがカム筒駆動カム溝８ｇ内にセットされる。
【００７１】
また、このレンズ鏡筒では、カム筒８の外周面上の所定位置に、カム筒駆動カム溝８ｇの底部に連通する貫通孔である固定筒ボールフォロア窓８ｋを穿孔する。この固定筒ボールフォロア窓８ｋを穿孔する所定位置は、固定筒９に装着されたカム筒８が、位置精度を要求されない状態のときに、固定筒ボールフォロア９ｂが存在する位置を選んで設定する。
例えば、この固定筒ボールフォロア窓８ｋを穿孔する所定位置は、ワイド撮影状態、テレ撮影状態にあるときの撮影領域に固定筒ボールフォロア９ｂが位置する範囲を避け、沈胴状態の位置又は撮影領域以外の位置に設定する。
【００７２】
このように固定筒ボールフォロア窓８ｋを撮影領域以外の位置に設定した場合には、撮影領域にあるカム筒駆動カム溝８ｇの精度を悪化させることを防止できる。これは、カム筒８のカム筒駆動カム溝８ｇ部分に固定筒ボールフォロア窓８ｋを設けると、固定筒ボールフォロア窓８ｋの周囲の強度が低下し、カム筒駆動カム溝８ｇの精度が低下する。よって、このカム筒８では、固定筒ボールフォロア窓８ｋをカム筒駆動カム溝８ｇの撮影領域以外の駆動カム溝上に設けることによって、カム筒駆動カム溝８ｇにおける撮影領域の範囲内での精度を維持できる。
【００７３】
さらに、このカム筒８を樹脂成形で形成する場合には、固定筒ボールフォロア窓８ｋを設けるための異形状が金型内にあると樹脂の流れが阻害されるため成形時に異形状周囲のカム溝の寸法精度が低下する。そこで、このカム筒８では、固定筒ボールフォロア窓８ｋをカム筒駆動カム溝８ｇにおける撮影領域以外の場所に設けることにより、カム筒駆動カム溝８ｇの撮影領域の範囲内での寸法精度が低下することを防止する。
【００７４】
さらに、この固定筒ボールフォロア窓８ｋを穿孔する所定位置は、１群直進キー９ｃと同時に固定筒ボールフォロア窓８ｋが目視できる位置に設定する。このように設定した場合には、固定筒９に組み付けたカム筒８の外周部に１群レンズホルダ３を装着する際に、固定筒ボールフォロア窓８ｋから固定筒ボールフォロア９ｂの存在を確認でき便利である。これは、１群直進キー９ｃと、１群レンズホルダ３の１群直進溝３ｄとを目視で位置合わせする際に、同時に固定筒ボールフォロア窓８ｋを目視できるためである。
【００７５】
また、固定筒ボールフォロア窓８ｋを設けた場合には、カム筒８の外周部に１群レンズホルダ３を装着する直前に固定筒ボールフォロア９ｂが脱落していないことを確認することが可能となり、組み立て性を向上できる。
【００７６】
さらに、このカム筒８では、カム筒駆動カム溝８ｇの底部で固定筒ボールフォロア９ｂが転接しない位置に、固定筒ボールフォロア窓８ｋを開口させるので、固定筒ボールフォロア９ｂが固定筒ボールフォロア窓８ｋに嵌まらない。
【００７７】
なお、上述した実施の形態では、カム筒８にカム筒駆動カム溝８ｇを設け、固定筒９に固定筒ボールフォロア９ｂを設けた構成について説明した。
【００７８】
しかし、本発明はこれに限定されるものではなく、カム筒８の内周部にボールフォロアを設け、固定筒９の外周部に駆動カム溝を設けて構成する。これと共に、カム筒８には、カム筒８に設けた支受凹部内のボールフォロアを覗くためのボールフォロア窓を穿設して構成する。または、固定筒９に、固定筒９に設けたカム筒駆動カム溝内にあるボールフォロアを覗くためのボールフォロア窓を穿設して構成しても良い。
【００７９】
すなわち、本発明のレンズ鏡筒では、内側の筒体（固定筒９）の外側に外側の筒体（カム筒８）を移動可能に組み付ける。そして、内側の筒体と外側の筒体との間には、駆動カム溝（例えば、カム筒駆動カム溝８ｇ）とボールフォロア（例えば、固定筒ボールフォロア９ｂ）とによるカム機構を配置することにより、相対的な動作をガイドするように構成する。
【００８０】
さらに、このレンズ鏡筒では、内側の筒体と外側の筒体との間に配置されたボールフォロアを、外部から覗くための貫通孔であるボールフォロア窓を、内側の筒体又は外側の筒体の少なくとも一方に穿設して構成する。このように構成することにより、内側の筒体又は外側の筒体の外側から、ボールフォロア窓を通じてボールフォロアの存在を確認できる。
【図面の簡単な説明】
【００８１】
【図１】本発明の実施の形態に係わるレンズ鏡筒におけるカム筒駆動カム溝、固定筒ボールフォロア及び固定筒ボールフォロア窓の構成を取り出し拡大して示す要部の断面斜視図である。
【図２】本発明の実施の形態に係わるレンズ鏡筒を搭載したカメラの外観斜視図である。
【図３】本発明の実施の形態に係わるレンズ鏡筒を搭載したカメラの正面図である。
【図４】本発明の実施の形態に係わるレンズ鏡筒部分を取り出して示すレンズ鏡筒の斜視図である。
【図５】沈胴状態のレンズ鏡筒の内部構造を示す図３のＡ−Ａ線による縦断面図である。
【図６】沈胴状態のレンズ鏡筒の内部構造を示す図３のＢ−Ｂ線による横断面図である。
【図７】沈胴状態のレンズ鏡筒の内部構造を示す図３のＣ−Ｃ線による断面図である。
【図８】ワイド撮影状態のレンズ鏡筒の内部構造を示す図３のＡ−Ａ線による縦断面図である。
【図９】ワイド撮影状態のレンズ鏡筒の内部構造を示す図３のＢ−Ｂ線による縦断面図である。
【図１０】ワイド撮影状態のレンズ鏡筒の内部構造を示す図３のＣ−Ｃ線による縦断面図である。
【図１１】テレ撮影状態のレンズ鏡筒の内部構造を示す図３のＡ−Ａ線による縦断面図である。
【図１２】テレ撮影状態のレンズ鏡筒の内部構造を示す図３のＢ−Ｂ線による縦断面図である。
【図１３】テレ撮影状態のレンズ鏡筒の内部構造を示す図３のＣ−Ｃ線による縦断面図である。
【図１４】沈胴状態のレンズ鏡筒の内部構造を示す図３のＤ−Ｄ線による縦断面図である。
【図１５】ワイド撮影状態のレンズ鏡筒の内部構造を示す図３のＤ−Ｄ線による縦断面図である。
【図１６】本発明の実施の形態に係わるレンズ鏡筒におけるＣＣＤホルダに設けられたＣＣＤホルダ衝撃受け部を取り出して示す斜視図である。
【図１７】本発明の実施の形態に係わるレンズ鏡筒におけるカム筒に設けられたボール確認窓を取り出して示す斜視図である。
【図１８】本発明の実施の形態に係わるレンズ鏡筒における固定筒に設けられた固定筒ボールフォロアと固定筒ボールバネ部分を取り出して示す斜視図である。
【符号の説明】
【００８２】
Ｌ１  １群レンズ
Ｌ２  ２群レンズ
Ｌ３  ３群レンズ
Ｌ４  ４群レンズ
１  カメラ
２  鏡筒
８  カム筒
８ｇ  カム筒駆動カム溝
８ｋ  固定筒ボールフォロア窓
９  固定筒
９ｂ  固定筒ボールフォロア
【図１】
2010066685.tif 000003
【図２】
2010066685.tif 000004
【図３】
2010066685.tif 000005
【図４】
2010066685.tif 000006
【図５】
2010066685.tif 000007
【図６】
2010066685.tif 000008
【図７】
2010066685.tif 000009
【図８】
2010066685.tif 000010
【図９】
2010066685.tif 000011
【図１０】
2010066685.tif 000012
【図１１】
2010066685.tif 000013
【図１２】
2010066685.tif 000014
【図１３】
2010066685.tif 000015
【図１４】
2010066685.tif 000016
【図１５】
2010066685.tif 000017
【図１６】
2010066685.tif 000018
【図１７】
2010066685.tif 000019
【図１８】
2010066685.tif 000020